(57)【要約】【課題】  新聞輪転印刷機における印刷開始及び印刷停止時の不良黒損折帳を減少させ、印刷経費を増やすことなく各種形態の印刷を可能とし印刷機の稼働率を向上させることを目的とする。【解決手段】  輪転印刷機の運転及び制御方法において、並設された複数の印刷ユニット夫々の胴入れ或いは胴抜きタイミングを、個別独立的に変更設定できるよう構成し、更には建頁等印刷仕様に対応して各印刷ユニットのウェブ走行ルート長を選択し、ウェブ走行ルート長の差から各印刷ユニットの胴入れ或いは胴抜きタイミングを選択、或いは演算し、自動的にプリセット制御できるよう構成した事を特徴とする。【選択図】      図１
2006159802.tif 000002
【特許請求の範囲】
【請求項１】
新聞輪転印刷機のおいて、並設された複数の印刷ユニット夫々の胴入れ或いは胴抜きタイミングを、個別  独立的に  変更設定できるよう構成した事を特徴とする輪転印刷機の運転制御方法及び制御装置。
【請求項２】
建頁等印刷仕様に対応して各印刷ユニットのウェブ走行ルート長を選択し、ウェブ走行ルート長の差から各印刷ユニットの胴入れ或いは胴抜きタイミングを選択、或いは演算し、自動的にプリセット制御できるよう構成した事を特徴とする請求項１の運転制御方法及び制御装置。
【発明の詳細な説明】
【技術分野】
【０００１】
本発明は  新聞輪転印刷機における印刷ユニット部の印刷運転、制御方法に関し提案するものである。
【背景技術】
【０００２】
新聞輪転機に設備する各種ユニット類の配置には種々形式のものがあるが、一般的には  図４に例示の如く、主な構成ユニットとして  給紙装置１、インフィード装置２、印刷ユニット３、ウェブパス装置４、折機５及び排紙装置６等にて構成されている。  
給紙装置１部は、リールスタンド７にロール状シートである巻取紙８を装架させておき、印刷に伴う消費速度に対応して連続的にウェブ９を供給すべく構成されている。
インフィード装置部２は、上記給紙装置１からのウェブ９に所定のテンションを付加し下流印刷ユニット３に供給する。
【０００３】
印刷ユニット３部は、ウェブ９の両面に位置して印刷装置１０を対向設置させ、該ウェブ９表裏両面に印刷を行うよう構成されている。印刷ユニット３の種類は様様あるも、標準的な２色ユニット３ａ、及び通称タワーユニットとも呼称されるカラー刷り４色ユニット３ｂが図示してある。  
印刷ユニット３は、１台の新聞輪転機において複数組が同一フロア上において一列に並設されており、各印刷ユニット３にて印刷したウェブ９をウェブパス装置４を介して適宜に並び替え、合流させ、重ね合わせた状態で下流の折機５に搬入させるようになっている。又、ウェブパス装置４部は、印刷を終えた各ウェブ９の走行位相を適宜にコントロールし、それぞれを所定のタイミングで折機５へ送り込むよう機能している。
折機５は、前記印刷装置ユニット３において印刷を終えたウェブ９の搬入を受け、所定位置での切断、及び折り畳み等種々の加工を施し折帳１１を形成した後、排紙装置６を介し外部へ搬出すべく構成されている。
【０００４】
図４においては、例えば任意頁にカラー面を挿入等各種印刷仕様に対応させるために、折機５の正面ウェブ側用及び輪転機配置の最端部に於いて、カラー刷り４色ユニット３ｂ１及び３ｂ２を配置している。尚、本例におけるウェブ９を供給する給紙装置１は、床面１ＦＬより低い階下部に配設し、それぞれ対応する印刷ユニット３に対しウェブ９を供給している。
【０００５】
新聞輪転機の印刷開始は、先ず事前に全印刷装置用ウェブを折機まで通紙し、全印刷用版を装着した後立上げ昇速し、印刷胴を作動接触（胴入れ）させて始めて印刷画面がウェブに転写され、製品として印刷された折帖が搬出される。一方、印刷終了時は、定常印刷速度から減速し、印刷品質の不安定領域となる低速度で印刷胴が解除隔離（胴抜き)して停止する。
即ち、上記胴入れ胴抜きのタイミングは、総ての印刷ユニットに於いて、同時に行うよう設定されていた。
【０００６】
【特許文献１】特開平１１−１６５４０５号公報
【発明の開示】
【発明が解決しようとする課題】
【０００７】
ところで、通常の新聞は  多頁印刷となるため、同時に運転される印刷ユニット３も３〜６組と多く、印刷機の全長が非常に長くなっている。又、カラー面仕様によっては、特に４色刷りのウェブ９では、一旦機側に出す所謂ベイウィンドウルートを走行させる場合が多く、結果各印刷ユニット３で印刷後集合される折機５までのウェブ走行経路長が非常に長くなり、各ウェブ間の搬送長さの差異が大きくなる事になる。
このため、図５に示す如く、印刷開始時の各印刷ユニットに於いて発生する製品にならない損紙のうち、胴入れによるインキが転写印刷された所謂黒損の発生開始位置がウェブ間で相対的なばらつきとなって発生する。各ウェブが重ね合わされた折帳１１において、その一部でも印刷されている折帳は黒損と見なされるため、不良黒損折帳の部数が増大する。印刷終了時においても胴抜き時の転写印刷が終了する位置にばらつきが発生する点は同じで、同様に不良黒損折帳の部数が増大する。
つまり、図５の印刷開始時には、折機５に近い印刷ユニット３ａ3から送り出されたウェブ９の黒損開始点から、折機５から一番遠い印刷ユニット３ｂ2からのウェブ９の黒損が終了するまでの範囲の折帳が、黒損と見なされる損紙となってしまう。印刷停止時には、同様に３ａ3から送り出されたウェブ９の印刷停止点から、３ｂ2からのウェブ９の印刷停止点までの範囲の折帳が、黒損と見なされる損紙となってしまう。
【０００８】
従って、建頁の多いカラー面の複雑な新聞を印刷する場合、折機５から排出された折帳１１において、印刷されていない白紙に印刷紙が入り混じった所謂見做し黒損を含む不良黒損が大量に発生する。
又、近年の厳しい経済状況の中を生き残るために、各地域に即した魅力ある印刷の創出の他、印刷機の運転効率所謂稼働率を上げることが求められてきており、地域版や特殊版更には特殊印刷等の印刷パターン変更に伴う印刷立ち上げ及び停止頻度が増大しており、その度毎に上記の不良損紙が発生し、印刷事業に大きな影響を与える経費の増大をきたしている。
等の課題が顕在化してきた。
【課題を解決するための手段】
【０００９】
本発明は、これらの課題を解決すべく提案するもので、請求項１記載の本発明は、新聞輪転印刷機のおいて、並設された複数の印刷ユニット夫々の胴入れ或いは胴抜きタイミングを、個別  独立的に  変更設定できるよう構成した事を特徴とする運転制御方法とし、該運転制御装置を有する。
【００１０】
請求項２記載の本発明は、前記運転制御方法及び制御装置において、建頁等印刷仕様に対応して各印刷ユニットのウェブ走行ルート長を選択し、ウェブ走行ルート長の差から各印刷ユニットの胴入れ或いは胴抜きタイミングを選択、或いは演算し、自動的にプリセット制御できるよう構成した事を特徴としている。
【発明の効果】
【００１１】
本発明実施の新聞輪転印刷機によれば、印刷開始及び印刷終了時に発生する、リサイクル時にインキ抜きが必要な為資源価値の低い不良黒損黒損折帳部数が大幅に減少するほか、印刷時損紙総量も減少し、印刷資材経費及び業務経費が大幅に改善される等の効果を得る事ができるようになった。又、様様な形態の印刷運転に対応出来るため印刷機の運転稼動率を上げ、低コストで効率的な印刷運転を行なうことが出来る。
【発明を実施するための最良の形態】
【００１２】
本発明実施例１の運転制御方法は、図１に示す如く、印刷ユニット３の胴入れ或いは胴抜きのタイミングを、各印刷ユニット３毎に独立的に設定できるよう構成している。
加えて、本装置は、建頁やそれに伴うウェブ９の走行ルートパターンにより、胴入れ或いは胴抜きタイミングを演算又は自動選択し、プリセットできるよう構成している。
図１中１５は、制御装置で、１４は胴着脱手段である。
【００１３】
ところで、新聞輪転機の印刷パターンは、通常図３に示す例で運転制御されている。
図３に於いて、縦軸は印刷（機械）速度を示し、横軸は時間（ｔ）を示している。印刷運転時のウェブシートテンション、湿し水の量、インキ転移供給量他は、印刷速度により変化するが、常用印刷速度（Ｖｐ）に於いて最も理想的な値に調整される。
印刷の開始に当たって、各印刷ユニットへのウェブの通し、あるいは各印刷用版の着脱等に於いて、低速（Ｖｉ）にて印刷機を駆動運転する。
印刷準備がすべて完了すると、印刷機を起動し、一旦（Ｖｂ）まで昇速させ、この速度で印刷品質等をチェックする。
製品として搬出可能の「ＯＫ」判断後、印刷品質をチェックしながら常用印刷速度（Ｖｐ）まで昇速し、その後一定速度で印刷する。
所定のオーダ部数が近くなると、残部数を演算考慮して（ｔｄ）にて減速を開始し印刷機を停止させるようにしている。
【００１４】
通常図３における昇速時、（ｔａ）以後最長ルートの印刷ユニットから順次（ｔｎ）タイミングで胴入れされ、胴抜きは同様に最長ルートの印刷ユニットから順次減速時の（ｔｆ）から（ｔｇ）間で行なわれる。
従って速度線図に於いて、（ｔｃ）から（ｔｅ）間に於いて印刷された折帳のみが製品として出荷できる。つまり、増速の途上胴入れ後の（ｔａ）から（ｔｃ）間、及び減速途上胴抜き開始前の（ｔｅ）から（ｔｇ）間の折帳が、インキが転写された印刷紙を含む黒損となる。減速時の胴抜き開始は（ｔｆ）以後だが、減速時低速領域では印刷状態が不安定になり易く  印刷品質が低下し製品になりにくい。従って胴抜き開始前（ｔｅ）後の折帳を損紙としている。
【００１５】
印刷開始において、折機５迄のウェブ９の走行経路長が長い印刷ユニット３から  順次胴入れを行ない、所定の印刷が完了する場合は、同様に走行経路長が長い印刷ユニット３から  順次胴抜きを行う。詳述すると、
各印刷ユニットの胴入れは、例えば  最長走行経路長（パス）Ｌ１に対しＬ１ｎ短い  ｎユニットは、（ｔａ）からＴａｎ後のタイミングで行なう。（ｔａ）（ｔｂ）間の走行距離＝Ｌａｂ、（Ｖｂ−Ｖａ）／Ｔａｂ＝ｋ１とすると、
Ｌ１ｎ<Ｌａｂ  時  （Ｖａ＋ｋ１・Ｔａｎ／２）Ｔａｎ＝Ｌ１n  ‥‥（１）
Ｌ１ｎ>Ｌａｂ  時  Ｌａｂ＋（Ｔａｎ―Ｔａｂ）Ｖｂ＝Ｌ１ｎ    ‥‥（２）
減速時の胴抜きは、（ｔｆ）からＴｆｎ後のタイミングで行なう。（Ｖｐ−Ｖｅ）／Ｔｄｅ＝ｋ２とすると、
（Ｖｆ―ｋ２・Ｔｆｎ／２）Ｔｆｎ＝Ｌ１ｎ    ‥‥（３）
以上（１）〜（３）式により、制御装置１５を介しウェブの走行経路や新聞を構成する建頁に応じて変化するパターンのＴａｎ又はＴｆｎを演算、或いはプリセットし、胴入れ胴抜きのタイミングを採ることにより、図２に示す如く各ユニットに於いて発生する黒損の発生開始及び終了位置がおおよそ一致し、重ね合わせた折帳１１における黒損部数を大幅に減少させる事が可能となる。
【図面の簡単な説明】
【００１６】
【図１】本発明に係る新聞輪転機、及び運転（制御）構成図。
【００１７】
【図２】本発明に係る新聞輪転機の運転方法、機能（作用、効果）の説明図。
【００１８】
【図３】本発明に係る印刷装置部の運転速度変化を示す説明図。
【００１９】
【図４】一般的な新聞輪転印刷機の構成を示す正面図。
【００２０】
【図５】従来の新聞輪転機の運転方法、機能（作用、効果）の説明図。
【符号の説明】
【００２１】
１  給紙装置
２  インフィード装置
３  印刷ユニット        ３ａ  ２色刷り印刷ユニット
３ｂ  カラー刷り４色印刷ユニット（タワーユニット）
４  ウェブパス装置
５  折機
６  排紙装置
７  リールスタンド
８  巻取紙（ロール状シート）
９  ウェブ
１０  印刷装置
１１  折帳
１２  版胴
１３  刷版
１４  胴着脱手段
１５  制御装置
【図１】
2006159802.tif 000003
【図２】
2006159802.tif 000004
【図３】
2006159802.tif 000005
【図４】
2006159802.tif 000006
【図５】
2006159802.tif 000007